(57)【要約】  たばこ製品（４）の群（３）と、たばこ製品（４）の群（３）を収容するカップ形の容器（２）とを具え、前記容器は、開放された上端（６）と、底壁（１０）と、二つの平行な相互に対面する大側壁（１１、１２）と、二つの平行な相互に対面する小側壁（１３）を有しているたばこ製品用のパッケージであって、前記パッケージ（１）は、前記容器（２）の内側に設けられ、前記側壁（１１、１２、１３）の少なくとも一つから垂直に突出してたばこ製品（４）の群（３）のための支持面を形成し、且つ折り目線（２０、２２）によって相互に分離されて一方が他方に向けて折り畳まれた二つの硬質パネル（１９a、１９ｂ;２１a、２１ｂ）によって形成された少なくとも保持部材（１９、２１）を含む。
2009513448.tif 000002
【特許請求の範囲】
【請求項１】
たばこ製品（４）の群（３）と、前記たばこ製品（４）の群（３）を収容するカップ形容器（２）とを含み、前記容器は、開放された上端（６）と、底壁（１０）と、二つの平行な相互に対面する大側壁（１１、１２）と、二つの平行な相互に対面する小側壁（１３）を有しているたばこ製品用のパッケージであって、
前記パッケージ（１）は、前記容器（２）の内側に設けられ、前記側壁（１１、１２、１３）の少なくとも一つから垂直に突出してたばこ製品（４）の群（３）のための支持面を形成し、且つ折り目線（２０、２２）によって相互に分離されて一方が他方に向けて折り畳まれた二つの硬質パネル（１９a、１９ｂ;２１a、２１ｂ）によって形成された少なくとも一つの保持部材（１９、２１）を含む、パッケージ。
【請求項２】
各保持部材（１９、２１）の二つの硬質パネル（１９a、１９ｂ;２１a、２１ｂ）が同一寸法であり、一方が他方の上に折り畳まれて重ねられている、請求項１の記載のパッケージ。
【請求項３】
各保持部材（１９、２１）の二つの硬質パネル（１９a、１９ｂ;２１a、２１ｂ）が相互に糊付けされている、請求項２に記載のパッケージ。
【請求項４】
各保持部材（１９、２１）の二つの硬質パネル（１９a、１９ｂ;２１a、２１ｂ）は異なる寸法を有し且つ分離し、底パネル（１９ｂ、２１ｂ）は相対的により大きく且つ対応する側壁（１１、１２、１３）に対して１０〜４５度の角度で傾斜し、上パネル（１９a、２１a）は相対的により小さく且つ対応する側壁（１１、１２、１３）に垂直である、請求項１に記載のパッケージ。
【請求項５】
前記保持部材（１９、２１）が底壁（１０）に平行な支持面を形成し、容器（２）の内側に前記側壁（１１、１２、１３）より高さの低いたばこ製品（４）の群（３）を収容する、請求項１〜４のいずれか一項に記載のパッケージ。
【請求項６】
三つの保持部材（１９、２１）が二つの小側壁（１３）と一つの大側壁（１１、１２）から垂直に突出している、請求項５に記載のパッケージ。
【請求項７】
各保持部材（１９、２１）の二つの硬質パネル（１９a、１９ｂ;２１a、２１ｂ)が同一寸法を有し、一方が他方の上に折り畳まれて重ねられ、前記大側壁（１１、１２）から垂直に突出した保持部材（１９）の各端が、小側壁（１３）から垂直に突出した保持部材（２１）を形成する二つの硬質パネル（２１a、２１ｂ）の端相互間に包囲されている、請求項６に記載のパッケージ。
【請求項８】
前記保持部材（１９、２１）は、底壁（１０）よりも幅の狭いたばこ製品（４）の群（３）を容器（２）の内側に収容するために、小側壁（１３）に平行な側方支持面を形成している、請求項１〜４のいずれか一項に記載のパッケージ。
【請求項９】
それぞれが各小側壁（１３）から垂直に突出している二つの保持部材（２１）を含み、一方の保持部材は他方の保持部材（１９、２１）と同一平面にあり且つ対面している、請求項８に記載のパッケージ。
【請求項１０】
二つの保持部材（２１）を含み、両者は同一小側壁（１３）から突出している、請求項８に記載のパッケージ。
【請求項１１】
二つの保持部材（２１）が一方の小側壁（１３）から突出し、二つの保持部材（２１）が他方の小側壁（１３）から突出し、一方の小側壁（１３）から突出する核保持部材（２１）は、他方の小側壁（１３）から突出する保持部材（２１）に平行である、請求項８に記載のパッケージ。
【請求項１２】
前記容器（２）が一枚の柔軟包装材料を折り畳むことによって形成され、硬質挿入物が容器の内側に挿入され、各保持部材（１９、２１）の二つの硬質パネル（１９a、１９ｂ;２１a、２１ｂ）が硬質挿入物の一部を形成している、請求項１〜１１のいずれか一項に記載のパッケージ。
【請求項１３】
前記容器（２）は硬質ブランク（２３）を折り畳んで形成され、ヒンジ(８)に沿って容器（２）にヒンジ止めされたカップ形の蓋（７）を有し、且つ開放上端（６）を開閉する開放位置と閉鎖位置との間で前記容器（２）に対して回転し、且つ
少なくともU字形状に折り畳まれた硬質カラー（１６）は容器（２）の内側に連結され、且つ前記開放上端（６）から一部が突出していて、蓋(７)が前記閉鎖位置にあるときに、前記蓋（７）の対応する内面に係合する、請求項１〜１１のいずれか一項に記載のパッケージ。
【請求項１４】
各保持部材（１９、２１）の二つの硬質パネル（１９a、１９ｂ;２１a、２１ｂ）がカラー（１６）の一部を形成し、前記カラーは前壁（１７）と、前記前壁（１７）の両側の二つの側壁（１８）を含む、請求項１３に記載のパッケージ。
【請求項１５】
前記カラー（１６）は、フラットなときに、二本の長手方向の折り目線（２８）と、両折り目線（２８）相互間に、前壁（１７）の上部を形成する第一パネル（１７′）と、保持部材（１９）の第二パネル（１９a）と、補記部材（１９）の第三パネル（１９ｂ）と、前壁（１７）の底部を形成する第四パネル（１７″）とを形成する複数の横方向の折り目線（２９）を有し、第一及び第四パネル（１７′、１７″）は、それぞれ、二つの側方ウィング（１８′、１８″）を有し、側ウィングは第一及び第四パネル（１７′、１７″）の両側に設けられて側壁(１８)を形成し、長手方向の折り目線（２８）によって第一及び第四パネル（１７′、１７″）から分離されている、請求項１４に記載のパッケージ。
【請求項１６】
三つの保持部材（１９，２１）が二つの小側壁（１３）と一つの大側壁（１１、１２）から垂直に突出し、二つの小側壁（１３）から突出した保持部材（２１）の二つの第五パネル（２１a）が大側壁（１１、１２）から突出した保持部材（１９）の第二パネル（１９a）の両側に設けられ、長手方向の折り目線（２８）によって第二パネル（１９a）から分離され、二つの小側壁（１３）から突出した保持部材（２１）の二つの第六パネル（２１ｂ）は大側壁（１１、１２）から突出した保持部材（１９）の第三パネル（１９ｂ）の両側に設けられ、長手方向の折り目線（２８）によって第三パネル（１９ｂ）から分離されている、請求項１５に記載のパッケージ。
【請求項１７】
二つの菱形の孔（３１）が、長手方向の折り目線（２８）と保持部材（１９、２１）の第二、第三、第四及び第五パネル（１９a、１９ｂ、２１a、２１ｂ）の上の横方向の折り目線（２９）との間の連結部に形成されている、請求項１６に記載のパッケージ。
【請求項１８】
カラー（１６）の前壁（１７）が中心孔（３２）を有している、請求項１４〜１７のいずれか一項に記載のパッケージ。
【請求項１９】
各保持部材（１９、２１）の二つの硬質パネル（１９a、１９ｂ、２１a、２１ｂ）が容器（２）の、したがってブランク（２３）の一部を形成している、請求項１３に記載のパッケージ。
【請求項２０】
ブランク（２３）が二本の長手方向の折り目線（２４）と、二本の長手方向の折り目線(２４)相互間に前壁（１１）の上部を形成する第一パネル（１１′）、上壁（９）を形成する第二パネル（９′）、後壁（１２）を形成する第三パネル（１２′）、底壁（１０）を形成する第四パネル（１０′）、保持部材（１９）の第五パネル（１９a）、保持部材（１９）の第六パネル（１９ｂ）、及び前壁（１１）の底部を形成する第７パネル（１１″）を形成する複数の横方向の折り目線とを有する、請求項１９に記載のパッケージ。
【請求項２１】
三つの保持部材（１９、２１）が二つの小側壁（１３）と一つの大側壁（１１、１２）から垂直に突出し、二つの小側壁（１３）から突出する保持部材（２１）の二つの第八パネル（２１a）が大側壁（１１、１２）から突出する保持部材（１９）の第五パネル（１９a）の両側に設けられ、長手方向の折り目線（２４）によって分離され、二つの小側壁（１３）から突出した保持部材（２１）の二つの第九パネル（２１ｂ）が、大側壁（１１、１２）から突出した保持部材（１９）の第六パネル（１９ｂ）の両側に設けられ、長手方向の折り目線（２４）によって第六パネル（１９ｂ）から分離されている、請求項２０に記載のパッケージ。
【請求項２２】
二つの菱形の孔（３１）が長手方向の折り目線（２８）と保持部材（１９、２１）の第五、第六、第八及び第九パネル（１９a、１９ｂ、２１a、２１ｂ）の上の横方向の折り目線（２９）との間の連結部に形成されている、請求項２１に記載のパッケージ。
【請求項２３】
たばこ製品（４）の群（３）によって容器（２）の内側に残された空間（３３）の少なくとも一部が、付属品を収容し、或いはホルダーや灰皿等として使用される、請求項１〜２２のいずれか一項の記載のパッケージ。
【請求項２４】
容器（２）の大側壁（１１）が、外側から空間（３３）に接近するためのヒンジ止めされたドアを含む、請求項２３に記載のパッケージ。
【請求項２５】
前記空間（３３）がたばこ製品（４）の群（３）の側方に設けられ、付属品を収容するのに使用され、保持部材（２１）が前記付属品を挿入するための貫通孔（３５）を有している、請求項２３に記載のパッケージ。
【請求項２６】
たばこ製品（４）の群（３）と、
前記たばこ製品（４）の群（３）を収容し、開放された上端（６）、底壁（１１、１２）、及び二つ平行な対面する大側壁（１１、１２）、及び二つの平行な対面する小側壁（１３）を有するカップ形容器（２）と、
前記容器（２）の内側に設けられ、側壁（１１、１２、１３）の少なくとも一つから垂直に突出し、たばこ製品（４）の群（３）のための支持面を形成し、且つ折り目線（２０、２２）によって相互に分離され、一方が他方へ向けて折畳まれて、包装材料のシート（１６、２３）の一部を形成する一つの硬質パネル（１９a、１９ｂ、２１a、２１ｂ）によって形成された少なくとも一つの保持部材（１９、２１）とを含むたばこ製品用のパッケージを形成するために包装材料のシートを折り畳む方法において、
包装材料のシート（１６、２３）をたばこ製品（４）の群（３）の周囲に折り曲げる前に、包装材料のシート（１６、２３）を保持部材（１９、２１）のパネル（１９a、１９ｂ、２１a、２１ｂ）を形成する二本の折り目線と、保持部材（１９、２１）のパネル（１９a、１９ｂ、２１a、２１ｂ）を分離する折り目線（２０、２２）とに沿って予め折畳む工程を含む方法。
【請求項２７】
包装材料のシート（１６、２３）の第一部を、保持部材（１９、２１）のパネル（１９a、１９ｂ、２１a、２１ｂ）の反対側に設けられた包装材料のシート（１６、２３）の第二部へ向けて押すことによって、保持部材（１９、２１）のパネル（１９a、１９ｂ、２１a、２１ｂ）を相互に向けて折り畳む工程を含む、請求項２６に記載の方法。
【請求項２８】
包装材料のシート（１６、２３）の第一部を、固定された把持部材に係合させ、
包装材料のシート（１６、２３）の第二部を、可動の把持部材に係合させ、
直線状経路に沿って、前記可動把持部材を固定把持部材へ向けて移動する工程を含む、請求項２７に記載の方法。
【請求項２９】
包装材料のシート（１６、２３）が、保持部材（１９、２１）のパネル（１９a、１９ｂ、２１a、２１ｂ）を相互へ向けて畳む前に折り畳まれる、請求項２６、２７、２８のいずれか一項に記載の方法。
【請求項３０】
包装材料のシート（１６、２３）が、保持部材（１９、２１）のパネル（１９a、１９ｂ、２１a、２１ｂ）を相互に向けて折り畳んだ後に折り畳まれる、請求項２６、２７、２８のいずれか一項に記載の方法。
【発明の詳細な説明】
【技術分野】
【０００１】
本発明はたばこ製品のためのパッケージに関する。
次の記載において、説明を簡単にするための例示として、巻きたばこのヒンジ式に止めた蓋付きの硬質箱（packet）を参照する。
【背景技術】
【０００２】
ヒンジ式に止めた蓋付きの巻きたばこ用の硬質箱は、製造し易く、使用し易く、且つ内部の巻きたばこを効率的に保護するので、最も普通に市販されている。
【０００３】
ヒンジ式に止めた蓋付きの巻きたばこ用の硬質箱は、箔のシートで包まれた一群の巻きたばこと、一群の巻きたばこを収容した硬質外シェルとを具えている。この外シェルは、一群の巻きたばこを収容する上端の開いたカップ形状の容器と、ヒンジに沿って容器にヒンジ止めされ、容器に対して開放端を開閉するように開放位置と閉鎖位置との間で回転するカップ形状の蓋とを具える。折り畳まれたカラーが容器の内側に垂直に連結され、且つ蓋が閉鎖位置にあるときに、開放端から外方に一部突出して蓋の対応する内囲と係合する。
【０００４】
通常は、外シェルは一群の巻きたばこと実質的に同一寸法であり、一群の巻きたばこを目立つ隙間なくしっかりと収容している。しかし、或る場合には、例えば一群の巻きたばこの寸法が小さいにも拘らず、外シェルが「実質的」寸法を想像させることが望まれる場合、或いは現存する標準寸法のブランクを使用して本数の少ない巻きたばこ用の箱を製造し、或いは外シェルの内側に空き空間を形成して付属品(例えばライター)を収容したり、灰皿として使用したりすることが望まれる場合には、外シェルがその中に収容される一群の巻きたばこよりもずっと大きいことがある。
【０００５】
US5819925A1は、容器と、前記容器の開いた上端にヒンジ止めされた蓋とを具えた巻きたばこ用のヒンジ式に止めた蓋付きの硬質箱を記載している。この容器と蓋は、それぞれ前面、後面、両側面を有する。容器の内側にはカラーが固定されて容器から一部が突出し、前記カラーはタブを形成する一つ以上のスリットを有する三つの連続する部分を具え、これらのタブはヒンジ側においてカラーにヒンジ止めされて、容器の内側に向かって一群の巻きたばこの上に折り畳まれ、弾性緩衝要素を形成して容器内部の所定寸法に対して一群の巻きたばこの寸法を減少させることによって、容器と一群の巻きたばことの間に生じる緩みを解消している。
【０００６】
US5433318A1は、巻きたばこの小さな群を保持するための挿入物を有するヒンジ止めされた蓋付きの巻きたばこ用の硬質箱を記載している。
【０００７】
US5150720A1は、巻きたばこの奥行の無い群を受け入れる充填物を形成するように構成されたカラーを有するヒンジ止めされた蓋付きの巻きたばこ用の硬質箱を記載している。
【０００８】
前述のような巻きたばこの小群のための公知のヒンジ止めされた蓋付きの硬質箱は、ヒンジ止めされた蓋付きの硬質箱を製造するための標準型の包装機では製造できず、したがって特別な包装機の設計と構成が必要となる欠点を有する。
【発明の開示】
【発明が解決しようとする課題】
【０００９】
本発明の目的は、前述の欠点を解消し、同時に安価且つ容易に製造できる巻きたばこ製品のパッケージを提供することにある。
【課題を解決するための手段】
【００１０】
本発明によれば、添付の特許請求の範囲に記載されたたばこ製品のパッケージが提供される。
【発明を実施するための最良の形態】
【００１１】
図１の符号１は、カップ形状の容器２と前記容器２内に収容された一群３の巻きたばこ４とを具えた巻きたばこ用の硬質箱の全体を示す。巻きたばこ４の群３は平行六面体に形成され、箔包装材のシート（ｓｈｅｅｔ）５に包まれて、容器２の内側に収容されている。容器２は開放された上端６を有し、ヒンジ８に沿って容器２にヒンジ止めされて、それぞれ開放上端６を開閉する開放位置(図２)と閉鎖位置(図１と３)との間で容器２に対して回転するカップ形状の蓋７を具えている。
【００１２】
蓋７が閉鎖位置にある場合、容器２は直方体の平行六面体を形成し、相互に平行且つ対向する上壁９と底壁１０、対向する大側壁１１と１２、開口する小側壁１３を有する。更に詳しくは、一方の大側壁１１は容器２の前壁を形成し、他方の大側壁１２は容器２の後壁を形成している。四本の長手方向の縁１４は側壁１３と前後壁１１、１２との間に形成され、八本の横方向の縁１５は上下壁９と１０間、前後壁１１と１２間、及び側壁１３相互間に形成されている。
【００１３】
箱１は、U字形に折り畳まれて容器２の内側に連結(糊付け)され、蓋７が閉鎖位置にある場合、開放上端６から外に一部が突出して蓋７の対応する内面に係合するカラー１６を具えている。このカラー１６は、容器２の前壁１１に接して位置決めされた前壁１７と、前壁１７の両側に設けられて容器２の小側壁１３に接触して位置決めされた二つの側壁１８を具えている。
【００１４】
図５に示されているように、箱１は、容器２の内側に設けられて前壁１１から垂直に突出し、巻きたばこ４の群３のための支持面を形成し、折り目線２０によって分離されて相互に近づくように折り畳まれた二つの硬質パネル１９aと１９ｂによって形成された保持部材１９を具えている。
【００１５】
箱１は二つの保持部材２１を更に具え、保持部材の各々は容器２の内側に設けられ、各側壁１３から垂直に突出し、巻きたばこ４の群３のための支持面を形成し、折り目線２２によって分離されて相互に近づくように折り畳まれた二つの硬質パネル２１aと２１ｂによって形成されている。これらの保持部材１９と２１は、底壁１１に平行な底支持面を形成し、容器２の内部に壁１１と１２及び側壁１３よりも高さの低い巻きたばこ４の群３を収容する。
【００１６】
保持部材１９と２１はカラー１６の一部を形成し、カラー１６が、カラー１６の壁１７と１８を容器２の壁１１、１２及び１３に直接接触させて容器２の内側に位置決めされた場合、壁１１と１２及び側壁１３から垂直に突出する。
【００１７】
図４に示されているように、容器２は、実質的に細長い矩形の、対応するフラットなブランク２３から形成される。以下の説明において、ブランク２３の各部は、可能であれば容器２の対応する部分と同一符号に上付き記号を付して使用している。
【００１８】
ブランク２３は二本の長手方向の折り目線２４と、二本の長手方向の折り目線２４との間に、前壁１１の上部（更に詳しくは蓋７の一部を形成する部分）を形成するパネル１１′、上壁９を形成するパネル９′、底壁１０を形成するパネル１０′、前壁１１の底部(更に詳しくは容器２の一部を形成する部分)を形成するパネル１１″を形成する複数の横方向の折り目線２５を有する。
【００１９】
各パネル１１′、１１″、１２′は、各パネル１１′、１１″、１２′の両側に設けられて長手方向の折り目線２４によって各パネル１１′、１１″、１２′から分離されている二つの側方ウィング１３′と１３″を有する。パネル１１′は補強フラップ２６を有し、パネル１２′の各ウィング１３′、１３″はウィング１３′、１３″の両端に設けられた矩形のタブ２７を有する。
【００２０】
各箱１を形成する場合、側方ウィング１３′、１３″は相互に重ねられて糊付けされ、容器２の小側壁１３を形成し、各タブ２７は各側方ウィング１３′と１３″に対して正方形に折り畳まれ、各パネル９′と１０′の内面上に重ねられて糊付けされ、対応する壁９、１０の内部を形成する。
【００２１】
図６に示されているように、拡げられたカラー１６は二本の長手方向の折り目線２８と、二本の長手方向の折り目線２８の間に、前壁１７の上部を形成するパネル１７′、保持部材１９のパネル１９a、保持部材１９のパネル１９ｂ、前壁１７の底部を形成するパネル１７″、底部補強タブ３０を形成する複数の横方向の折り目線２９を有する。パネル１７′と１７″は、それぞれ、二つの側方ウィング１８′と１８″を有し、これらはパネル１７′と１７″の両側に設けられて側壁１８を形成し、長手方向の折り目線２８によってパネル１７′、１７″から分離されている。保持部材２１のこれら二つのパネル２１aは、保持部材１９のパネル１９aの両側に設けられ、保持部材２１のこれら二つのパネル２１ｂは、保持部材１９のパネル１９ｂの両側に設けられている。
【００２２】
二つの菱形の孔３１が長手方向の折り目線２８と保持部材１９と２０のパネル１９a、１９ｂ、２１a、２１ｂ上の横方向の折り目線２９との間の連結点に形成され、この孔３１の形状と寸法に応じて、前壁１１から垂直に突出した保持部材１９の各端は、保持部材２１の対応する端から分離され、これに接し、或いは重なっている。
【００２３】
例えば、図５と６の実施形態において、前壁１１から垂直に突出している保持部材１９の各端は、対応する保持部材２１を形成する二つの硬質パネル２１a、２１ｂの端相互間に取り囲まれ、保持部材１９と２１の全体の剛性を増している。一方、図７と８の実施形態において、前壁１１から垂直に突出している保持部材１９の各端は、対応する保持部材２１の端に対して実質的に接線方向になっている。
【００２４】
最後に、好ましくはカラー１６の前壁１７は標準的円形の中央孔３２を有し、この中央孔は、巻きたばこの群３のカラー１６への移動を伴うカウンタプッシャー（counterpusher）のカラー１６への挿入を可能にすることによって、巻きたばこ４の群３へのカラー１６の適用を助ける。
【００２５】
図１〜６に実施形態において、保持部材１９と２１はカラー１６の一部を形成し、容器２を形成するブランク２３は普通の硬質ヒンジ付き蓋の箱を製造するブランクと同一である。
【００２６】
標準的ヒンジ付きの蓋の硬質箱を作るための標準的ブランクと同様に、容器２を形成するブランク２３は、標準的ヒンジ付きの硬質箱を製造するための標準的ブランクと同様に正確に折り畳まれる。
【００２７】
カラー１６を折り畳むために、カラー１６を巻きたばこ４の群３の周囲に折り畳む前に、カラー１６はパネル１９a、１９ｂ、２１a、２１ｂを形成する二本の横方向の折り目線２９、及び折り目線２０と２２に沿って予め折り畳まれる。カラー１６が予め折り畳まれると、側方ウィング１８′と１８″は二本の長手方向の折り目線２８に沿って、パネル１７′と１７″に対して直角に折り畳まれ、そしてパネル１９aと２１aはパネル１９ｂと２１ｂのように折り畳まれる。別の例では、パネル１９aと２１aは、最初にパネル１９ｂと２１ｂへ向けて折り畳まれ、そして側方ウィング１８′と１８″が次に二本の長手方向の折り目線２８に沿って、パネル１７′と１７″に対して折り畳まれる。
【００２８】
パネル１９aと２１aは、パネル１７″、そして可能ならばウィング１８″をパネル１７′とウィング１８′の方へ押すことによってパネル１９ｂと２１ｂに向けて直角に折り畳まれる。換言すれば、パネル１９aと２１aは、固定された把持部材によってパネル１７′とウィング１８′を維持し、パネル１７″と、可能ならばウィング１８″とを可動把持部材に係合させることによって、パネル１９ｂと２１ｂへ向けて折り畳まれ、可動把持部材は次に固定把持部材へ向って移動する。カラー１６は巻きたばこ４の群３に適用される前に常に予め折り畳まれ、一方、カラー１６の折畳みはカラー１６が巻きたばこ４の群３に適用される前に完了し、カラー１６が巻きたばこ４の群３に適用された後に完了し、或いはカラー１６が巻きたばこ４の群３に適用された後に開始されてもよい。
【００２９】
図５と６の実施形態において、各保持部材１９、２１の二つの硬質パネル１９a、１９ｂ、２１a、２１ｂは同一寸法であり、一方が他方の上に折り畳まれて重ねられている。各保持部材１９、２１のこれら二つの硬質パネル１９a、１９ｂ、２１a、２１ｂは、相互に糊付けされることが好ましい。更に、前壁１１から垂直に突出した保持部材１９の各端は、各小側壁１３から垂直に突出した保持部材２１を形成する二つの硬質パネル２１aと２１ｂ間に包囲される。
【００３０】
図７と８の実施形態において、各保持部材１９、２１の二つの硬質パネル１９a、１９ｂ、２１a、２１ｂは、異なる寸法を有し分離している。底パネル１９ｂと２１ｂは相対的に大きく、対応する側壁１１、１３に対して１０〜４５度の角度で傾斜し、上パネル１９aと２１aは相対的に小さく、対応する側壁１１、１３に対して垂直である。
【００３１】
図１〜８の実施形態において、保持部材１９と２１は底壁１０に平行な底部支持面を形成して、側壁１１、１２、１３より高さの低い巻きたばこ４の群３を容器２の内部に収容する。
【００３２】
図９〜１４に示された別の実施形態において、保持部材２１は小側壁１３に平行な側方支持面を形成して、容器２の内側に底壁１０より幅の小さい巻きたばこ４の群３を収容する。
【００３３】
図９と１０の実施形態は、一方の小側壁１３から突出した二つの保持部材２１と、他方の小側壁１３から突出した二つの保持部材２１を有し、一方の小側壁１３から突出した各保持部材２１は、他方の小側壁１３から突出した対応する保持部材２１と同一平面上にある。図１１と１２の実施形態は、二つの平行な垂直方向にオフセットした保持部材２１を有し、両者は同一小側壁１３から突出している。図１３と１４は図１１と１２の実施形態の構造的変形を示し、二つの平行な垂直方向にオフセットした保持部材２１は同一小側壁１３から突出している。
【００３４】
図示されない別の実施形態は、それぞれが各小側壁１３から垂直に突出した二つの保持部材２１を有し、他方の保持部材２１と同一平面にあって、対面する。
【００３５】
前述の説明から明らかなように、図１〜１４の実施形態において、保持部材１９と２１はカラー１６の一部を形成し、一方、次に述べる図１５〜２０に示される実施形態において、カラー１６が普通のヒンジ止めされた蓋付きの硬質箱を製造するための通常のカラーと同一になるように、保持部材１９と２１は容器２、即ちブランク２３の一部を形成している。
【００３６】
図１９のブランク２３は、保持部材１９と２１のパネル１９a、１９ｂ、２１a、２１ｂを含むことによって、図４のブランク２３とは明らかに異なる。
【００３７】
普通のヒンジ止めされた蓋付きの硬質箱を製造するための通常のカラーと同様に、カラー１６は普通のヒンジ止めされた蓋付きの硬質箱を製造するための通常のカラーと同様に正確に折り畳まれる。
【００３８】
容器２を形成するブランク２３を折り畳むために、ブランク２３は、巻きたばこ４の群３の周囲にブランク２３を折り畳む前に、パネル１９a、１９ｂ、２１a、２１ｂを形成する二本の横方向の折り目線２５と折り目線２０と２２に沿って、予め折り畳まれる。ブランク２３が予め折り畳まれると、ウィング１３′と１３″は二本の長手方向の折り目線２４に沿ってパネル１２′と１２″に対して普通に折り畳まれ、そしてパネル１９aと２１aがパネル１９ｂと２１ｂの方へ折り畳まれる。別の例では、パネル１９aと２１aが最初にパネル１９ｂと２１ｂの方へ折り畳まれ、次に側方ウィング１３′と１３″が二本の長手方向の折り目線に沿ってパネル１２′と１２″に対して折り畳まれる。
【００３９】
パネル１９aと２１aは、パネル１２″と、可能ならばウィング１３″とをパネル１２′とウィング１３′に向けて押すことによって、普通に折り畳まれる。換言すれば、パネル１９aと２１aは、固定された把持部材によってパネル１２′とウィング１３′を固定位置に維持し、パネル１２″と、可能ならばウィング１３″とを可動把持部材に係合させることによってパネル１９ｂと２１ｂに向けて折り畳まれ、次に可動把持部材は固定把持部材へ向って移動する。巻きたばこ４の群３に適用される前にブランク２３は常に予め折り畳まれ、一方、ブランク２３の折畳みは、ブランク２３が巻きたばこ４の群３に適用される前に完了し、ブランク２３が巻きたばこ４の群３に適用される前に開始されて、ブランク２３が巻きたばこ４の群３に適用された後に完了し、或いはブランク２３が巻きたばこ４の群３に適用された後にのみ開始されてもよい。
【００４０】
巻きたばこ４の群３によって容器２の内部に残された空間３３（図１８に示されている）の少なくとも一部は、付属品（例えばライター）或いはホルダーや灰皿を収容するのに使用される。
【００４１】
図１〜８と１５〜２０に示された実施形態において、空間３３は巻きたばこ４の群３の下方に設けられ、一般的にホルダーや灰皿として使用され、図１５〜２０の実施形態において、ヒンジ止めされたドア３４が容器２の前壁１１に形成され、外側から空間３３への接近のために用いられる。
【００４２】
図９〜１４の実施形態において、空間３３は巻きたばこ４の群３の側方に設けられ、一般的に付属品を収容するのに使用され、この目的のために保持部材２１は同軸の貫通孔３５を有し、これに付属品が挿入される。
【００４３】
図示されない別の実施形態において、一枚の柔軟包装材料を巻きたばこ４の群３の周囲に折り畳んで容器２が形成され、容器２は保持部材１９と２１を具えた図５〜１４のカラー１６に似た硬質挿入物を含む。カラー１６と硬質挿入物との主たる差異は、蓋７が無いためにこの硬質挿入物は容器２の開放された上端から突出していない点にある。
【００４４】
添付図面に示されている実施形態において、縁１４と１５はすべて正方形の縁である。図示されていない別の実施形態において、四つの長手方向の縁１４は非正方形の丸みを帯びた、或いは傾斜した縁である。別の例では、横方向の縁１５は、EP-A1-0764595に記載された巻きたばこの箱のように、非正方形の丸みを帯びた或いは傾斜した縁であり、横方向の縁１５と長手方向の縁１４は、両方とも非正方形の丸い或いは傾斜した縁であってもよい。
【００４５】
図示されない別の実施形態において、各大側壁１１、１２は外方に凸出し、鋭い長手方向の縁１４に沿って小側壁１３に連結され、各小側壁１３と鈍角の二面角を形成している。各大側壁１１、１２は平らな中心部と、長手方向の折り目線を有する皺のよった二つの側方バンドを具え、各側方バンドは内方に対する凹みを有して前記中心部を小側壁１３に連結し、小側壁１３に対して鈍角の二面角を形成している。この場合、各壁９、１０は実質的に矩形であり、大側壁１１と１２の外側に凸出した輪郭に適合するように、傾斜した隅部を有する。この実施形態はEP-A1-1066206に記載された巻きたばこの箱に似ており、箱はそれぞれがフラットな中心部と、前記中心部を鋭い長手方向の縁に沿って箱の二つのフラットな側壁に連結する二つの湾曲した皺の多い側方バンドとを有する。
【００４６】
図示しない別の実施形態において、各大側壁１１、１２は外側に凸出し、鋭い横方向の縁１５に沿って壁９と１０に連結され、各壁９、１０に対して鈍角の二面角を形成している。更に詳しくは、各大側壁１１、１２はフラットな中心部と、横方向の折り目線を有する皺の多い側方バンドとを具え、前記側方バンドは内方に対する凹みを有して湾曲し、壁９と１０に対して鈍角の二面角を形成している。この場合、各小側壁１３は実質的に矩形であり、大側壁１１と１２の外側に凸出した輪郭に適合するように傾斜した隅部を有する。この実施形態はIT-B02001A000584に記載された巻きたばこの箱に類似し、外方へ凸出した前後壁を有し、各壁はフラットな中心部と、前記中心部を鋭い横方向の縁に沿って箱の二つのフラットな壁に連結する二つの湾曲した皺の多い側方バンドとを有する。
【００４７】
明らかなように、上述の箱１は、凸出した壁を一部が凹んだ壁に置き替え、或いは二つの対面する凸出した壁の代わりに一つだけの凸出した壁を形成する等の変更を加えることができる。
【００４８】
上述の巻きたばこの箱１は、巻きたばこ４の小群３を収容し、同時に製造が安価且つ容易であり、カラー１６又はブランク２３に僅かな変更を加えることによって、そして僅かに改変された標準的包装機でカラー１６やブランク２３を折畳み可能とすることによって、多くの利点を有する。
【００４９】
前述の巻きたばこの箱１の多くの利点を勘案すれば、この箱１の形状は実質的に前述の箱１と同一巻きたばこの(硬質或いは柔軟)カートンの製造にも一体的に適用され、唯一の差異は巻きたばこの群ではなくて、巻きたばこの箱の群を収容する点にある。
【図面の簡単な説明】
【００５０】
【図１】本発明の巻きたばこ用の箱を前から見た閉鎖状態の斜視図。
【図２】図１の箱を前から見た開放状態の斜視図。
【図３】図１の箱を後から見た閉鎖状態の斜視図。
【図４】図１の箱を製造するブランクの展開図。
【図５】図１の箱のカラーの斜視図。
【図６】図５のカラーの展開図。
【図７】図１のカラーの別の実施形態の斜視図。
【図８】図７のカラーの展開図。
【図９】図１の箱のカラーの別の実施形態の正面図。
【図１０】図９のカラーの展開図。
【図１１】図１の箱のカラーの更に別の実施形態の正面図。
【図１２】図１１のカラーの展開図。
【図１３】図１の箱のカラーの別の実施形態の正面図。
【図１４】図１３のカラーの展開図。
【図１５】本発明の巻きたばこ用の箱の別の実施形態を前から見た閉鎖状態の斜視図。
【図１６】図１５の箱を前から見た開放状態の斜視図。
【図１７】図１５の箱をゴルフクラブのグリップから見た斜視図。
【図１８】明瞭にするために部品を取り外した図１５の箱の正面図。
【図１９】図１５の箱を製造するためのブランクの展開図。
【図１】
2009513448.tif 000003
【図２】
2009513448.tif 000004
【図３】
2009513448.tif 000005
【図４】
2009513448.tif 000006
【図５】
2009513448.tif 000007
【図６】
2009513448.tif 000008
【図７】
2009513448.tif 000009
【図８】
2009513448.tif 000010
【図９】
2009513448.tif 000011
【図１０】
2009513448.tif 000012
【図１１】
2009513448.tif 000013
【図１２】
2009513448.tif 000014
【図１３】
2009513448.tif 000015
【図１４】
2009513448.tif 000016
【図１５】
2009513448.tif 000017
【図１６】
2009513448.tif 000018
【図１７】
2009513448.tif 000019
【図１８】
2009513448.tif 000020
【図１９】
2009513448.tif 000021
【図２０】
2009513448.tif 000022
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
たばこ製品（４）の群（３）と、
たばこ製品（４）の群（３）を収容するカップ形の容器（２）であって、開放された上端（６）と、底壁（１０）と、二つの平行な相互に対面する大側壁（１１、１２）と、二つの平行な相互に対面する小側壁（１３）を有し、且つヒンジ(８)に沿って前記容器（２）にヒンジ止めされて、容器(２)に対して開放位置と閉鎖位置との間を回転して、前記開放された上端（６）を開閉するカップ形の蓋（７）を有する容器（２）と、
少なくともU字形に折り畳まれて前記容器（２）の内側に連結され、前記蓋（７）が閉鎖位置にあるときに一部が前記開放上端（６）から外方に突出して、蓋（７）の対応する内面と係合し、前壁（１７）と前記前壁（１７）の両側の二つの側壁（１８）とを含む硬質カラー（１６）と、
前記容器（２）の内側に設けられ、少なくとも一つの前記側壁（１１、１２、１３）から垂直に突出してたばこ製品（４）の群（３）のための支持面を形成し、折り目線（２０、２２）によって相互に分離されて一方が他方へ向けて折り畳まれた二つの硬質パネル（１９a、１９ｂ、２１a、２１ｂ）によって形成された少なくとも一つの保持部材（１９、２１）と
を含むたばこ製品用のパッケージにおいて、
各保持部材（１９、２１）の二つの硬質パネル（１９a、１９ｂ、２１a、２１ｂ）がカラー（１６）の一部を形成しているパッケージ。
【請求項２】
各保持部材（１９、２１）の二つの硬質パネル（１９a、１９ｂ;２１a、２１ｂ）が同一寸法であり、一方が他方の上に折り畳まれて重ねられている、請求項１の記載のパッケージ。
【請求項３】
各保持部材（１９、２１）の二つの硬質パネル（１９a、１９ｂ;２１a、２１ｂ）が、相互に糊付けされている、請求項２に記載のパッケージ。
【請求項４】
各保持部材（１９、２１）の二つの硬質パネル（１９a、１９ｂ;２１a、２１ｂ）が異なる寸法を有し、且つ分離され、底パネル（１９ｂ、２１ｂ）が相対的により大きく、対応する側壁（１１、１２、１３）に対して１０〜４５度の角度で傾斜し、上パネル（１９a、２１a）が相対的により小さく、対応する側壁（１１、１２、１３）に垂直である、請求項１に記載のパッケージ。
【請求項５】
容器（２）の内側に前記側壁（１１、１２、１３）より高さの低いたばこ製品（４）の群（３）を収容するために、前記保持部材（１９、２１）が底壁（１０）に平行な支持面を形成している、請求項１〜４のいずれか一項に記載のパッケージ。
【請求項６】
三つの保持部材（１９、２１）が二つの小側壁（１３）と一つの大側壁（１１、１２）から垂直に突出している、請求項５に記載のパッケージ。
【請求項７】
各保持部材（１９、２１）の二つの硬質パネル（１９a、１９ｂ;２１a、２１ｂ)が同一寸法を有し、一方が他方の上に折り畳まれて重ねられ、前記大側壁（１１、１２）から垂直に突出した保持部材（１９）の各端が、小側壁（１３）から垂直に突出した保持部材（２１）を形成する二つの硬質パネル（２１a、２１ｂ）の端相互間に包囲されている、請求項６に記載のパッケージ。
【請求項８】
底壁（１０）よりも幅の狭いたばこ製品（４）の群（３）を容器（２）の内側に収容するために、前記保持部材（１９、２１）が小側壁（１３）に平行な側方支持面を形成している、請求項１〜４のいずれか一項に記載のパッケージ。
【請求項９】
それぞれが各小側壁（１３）から垂直に突出している二つの保持部材（２１）を含み、一方の保持部材は他方の保持部材（１９、２１）と同一平面にあり、且つ対面している、請求項８に記載のパッケージ。
【請求項１０】
二つの保持部材（２１）を含み、両者は同一小側壁（１３）から突出している、請求項８に記載のパッケージ。
【請求項１１】
二つの保持部材（２１）は一方の小側壁（１３）から突出し、二つの保持部材（２１）は他方の小側壁（１３）から突出し、一方の小側壁（１３）から突出する保持部材（２１）は、他方の小側壁（１３）から突出する対応する保持部材（２１）に平行である、請求項８に記載のパッケージ。
【請求項１２】
フラット時に、前記カラー（１６）は、二本の長手方向の折り目線（２８）と、二本の長手方向の折り目線（２８）相互間に、前壁（１７）の上部を形成する第一パネル（１７′）と、前記保持部材（１９）の第二パネル（１９a）と、前記保持部材（１９）の第三パネル（１９ｂ）と、前壁（１７）の底部を形成する第四パネル（１７″）とを形成する複数の横方向の折り目線（２９）を有し、前記各第一及び第四パネル（１７′、１７″）は第一及び第四パネル（１７′、１７″）の両側に設けられて側壁（１８）を形成し、且つ長手方向の折り目線（２８）によって第一及び第四パネル（１７′、１７″）から分離されている、請求項１〜１１のいずれか一項に記載のパッケージ。
【請求項１３】
三つの保持部材（１９、２１）が二つの小側壁（１３）と一つの大側壁（１１、１２）から垂直に突出し、
二つの小側壁（１３）から突出した保持部材（２１）の二つの第五パネル（２１a）が、大側壁（１１、１２）から突出した保持部材（２１）の第二パネル（１９a）の両側に設けられ、且つ長手方向の折り目線（２８）によって第二パネル（１９a）から分離され、且つ
二つの小側壁（１３）から突出した保持部材（２１）の二つの第六パネル（２１ｂ）が、大側壁（１１、１２）から突出した保持部材（１９）の第三パネル（１９ｂ）の両側に設けられ、且つ長手方向の折り目線（２８）によって第三パネル（１９ｂ）から分離されている、請求項１２に記載のパッケージ。
【請求項１４】
二つの菱形の孔（３１）が、長手方向の折り目線（２８）と保持部材（１９、２１）の第二、第三、第四及び第五パネル（１９a、１９ｂ、２１a、２１ｂ）の上の横方向の折り目線（２９）との間の連結部に形成されている、請求項１３に記載のパッケージ。
【請求項１５】
カラー（１６）の前壁（１７）が中心孔（３２）を有している、請求項１〜１４のいずれか一項に記載のパッケージ。
【請求項１６】
たばこ製品（４）の群（３）によって容器（２）の内側に残された空間（３３）の少なくとも一部が、付属品を収容するために、或いはホルダーや灰皿等として使用される、請求項１〜１５のいずれか一項の記載のパッケージ。
【請求項１７】
容器（２）の大側壁（１１）が、外側から空間（３３）に接近するためのヒンジ止めされたドアを含む、請求項１６に記載のパッケージ。
【請求項１８】
前記空間（３３）がたばこ製品（４）の群（３）の側方に設けられ、且つ付属品を収容するために使用され、保持部材（２１）が前記付属品を挿入するための貫通孔（３５）を有している、請求項１６に記載のパッケージ。
【請求項１９】
たばこ製品（４）の群（３）と、
たばこ製品（４）の群（３）を収容し、且つ開放された上端（６）、底壁（１１、１２）、及び二つ平行に対面する大側壁（１１、１２）、及び二つの平行に対面する小側壁（１３）を有するカップ形容器（２）と、
容器（２）の内側に設けられ、側壁（１１、１２、１３）の少なくとも一つから垂直に突出し、たばこ製品（４）の群（３）のための支持面を形成し、且つ折り目線（２０、２２）によって相互に分離され、一方が他方へ向けて折畳まれて、包装材料のシート（１６、２３）の一部を形成する二つの硬質パネル（１９a、１９ｂ、２１a、２１ｂ）によって形成された少なくとも一つの保持部材（１９、２１）とを含むたばこ製品用のパッケージを形成するために包装材料のシートを折り畳む方法において、
包装材料のシート（１６、２３）をたばこ製品（４）の群（３）の周囲に折り曲げる前に、包装材料のシート（１６、２３）を保持部材（１９、２１）のパネル（１９a、１９ｂ、２１a、２１ｂ）を形成する二本の折り目線と、保持部材（１９、２１）のパネル（１９a、１９ｂ、２１a、２１ｂ）を分離する折り目線（２０、２２）とに沿って予め折畳む工程を含む方法。
【請求項２０】
包装材料のシート（１６、２３）の第一部を、保持部材（１９、２１）のパネル（１９a、１９ｂ、２１a、２１ｂ）の反対側に設けられた包装材料のシート（１６、２３）の第二部へ向けて押すことによって、保持部材（１９、２１）のパネル（１９a、１９ｂ、２１a、２１ｂ）を相互に向けて折り畳む工程を含む、請求項１９に記載の方法。
【請求項２１】
包装材料のシート（１６、２３）の第一部を固定された把持部材に係合させ、
包装材料のシート（１６、２３）の第二部を可動の把持部材に係合させ、
直線状経路に沿って、前記可動把持部材を固定把持部材へ向けて移動する工程を含む、請求項２０に記載の方法。
【請求項２２】
包装材料のシート（１６、２３）が、保持部材（１９、２１）のパネル（１９a、１９ｂ、２１a、２１ｂ）を相互へ向けて折り畳む前に折り畳まれる、請求項１９、２０、２１のいずれか一項に記載の方法。
【請求項２３】
包装材料のシート（１６、２３）が、保持部材（１９、２１）のパネル（１９a、１９ｂ、２１a、２１ｂ）を相互へ向けて折り畳んだ後に折り畳まれる、請求項１９、２０、２１のいずれか一項に記載の方法。
【手続補正２】
【補正対象書類名】明細書
【補正対象項目名】０００７
【補正方法】変更
【補正の内容】
【０００７】
US5150720A1は、巻きたばこの奥行の無い群を受け入れる充填物を形成するように構成されたカラーを有するヒンジ止めされた蓋付きの巻きたばこ用の硬質箱を記載している。
DE3607311A1は、一体化されたマッチ箱の付いた巻きたばこのパッケージを開示している。これによって、使用者は他の外部の火元と無関係となり、特にそれを失う不都合から解放される。
【国際調査報告】
2009513448.tif 000023
2009513448.tif 000024